(57)【要約】【課題】  ヘッドの重量及び重心位置を広い範囲で微妙に調整することのできるゴルフ用パターを提供する。【解決手段】  パターのヘッド１の背面５にリング状のガイド９と薄板状の保持体１０とを突設し、円盤形状のウェイト１１の周方向に設けられた凹溝を介して、ガイド９と保持体１０を上下方向から押圧することにより、ウェイト１１をガイド９に沿って移動可能に保持する。【選択図】    図１
2007054227.tif 000002
【特許請求の範囲】
【請求項１】
シャフトの一端にヘッドを有し、他端にグリップを有するゴルフ用パターにおいて、
前記ヘッドは、
背面から棒状体をリング状又はＵ字状に水平面と略平行に突設してなるガイドと、
前記ガイドに沿って移動可能に保持されたウェイトと、
前記ウェイトを任意の位置で固定する固定手段と、を備えることを特徴とするゴルフ用パター。
【請求項２】
前記ウェイトの中心位置が基準点を中心とした同一円周上を前記ガイドに沿って移動するようにしたことを特徴とする請求項１に記載のゴルフ用パター。
【請求項３】
前記固定手段は、
前記ウェイトに設けられた雌ネジ孔と、
前記雌ネジ孔に螺合する雄ネジと、からなり、
前記雄ネジの頭部は流通硬貨の厚みに嵌合する溝を有することを特徴とする請求項１又は２に記載のゴルフ用パター。
【発明の詳細な説明】
【技術分野】
【０００１】
本発明はゴルフ用パターに関し、特にヘッドの重量と重心位置を調整することができるようにしたゴルフ用パターに関するものである。
【背景技術】
【０００２】
ゴルフのパッティングとは、プレイヤーが主にグリーン上に乗ったボールをゴルフ用パター（以下、「パター」という。）によりカップ（ホール）にめがけて打ち出すプレーであり、様々な芝目や傾斜が設けられたグリーン上で正確な距離と方向性を得るために、ストロークの際には微妙なタッチが要求される。
【０００３】
パターにはプレイヤーの微妙な力加減をボールに確実に伝達するための様々な要因が存在し、特にヘッドにおいては、重量、重心位置やフェース面の形状・硬度などが重要な要素であるとされている。
【０００４】
これらの要素のうちで、重量はインパクトの際のボールの推進力に、重心位置はインパクトの際のねじれに対する抵抗とストロークの軌道に、それぞれ大きな影響を与えることから特に重要視されている。
【０００５】
しかし、図１０に示すような一般的なパター９０におけるヘッド９３の重量と重心位置は、平均的なプレイヤーを想定して設定されているため、個々のプレイヤーは好みに応じてこれらを調整しなければならない。
【０００６】
例えば、よく知られた調整方法として、鉛板や鉛テープなどの重りをヘッド９３のフェース９４以外の部分、例えば、テール９７や背面９８などに貼付する方法がある。
また、調整方法に係る発明としては、重りをパターヘッドに設けられた溝に沿って自在に動かすことにより調整する方法が提案されている（特許文献１を参照。）。
【０００７】
この発明は、図１１に示すように、ヘッド１００の裏面下部に設けられたスライド溝１０１に沿って、重り挿入口１０２から挿入された重り１０３を移動して、適当な位置で固定することにより、ヘッド１００の重心位置を調整するものである。
【特許文献１】登録実用新案３１０９５０１号公報（段落［００２３］及び図６）
【発明の開示】
【発明が解決しようとする課題】
【０００８】
しかし、上述の鉛板や鉛テープを貼付する方法では、ヘッドの重量に比べて鉛板等の重量が小さ過ぎるため調整の程度に限界があるという問題があった。それに加えて、プレー中に剥がれてしまうおそれがあり、ラウンド中はクラブの性能を変更してはならないというルールに抵触してしまうおそれがあった。
【０００９】
また、特許文献１に開示された発明では、重りの重量がヘッドの重量に比べて小さいため調整の程度に限界があるとともに、その重りの移動及び固定を工具を用いて行わなければならないため、微妙な調整が容易にできないという問題があった。
【００１０】
本発明は、このような問題点に鑑みてなされたものであり、ヘッドの重量及び重心位置について、広い範囲で微妙な調整を容易に行うことのできるパターを提供するものである。
【課題を解決するための手段】
【００１１】
上記の目的を達成するため、本発明は、シャフトの一端にヘッドを有し、他端にグリップを有するゴルフ用パターにおいて、前記ヘッドは、背面から棒状体をリング状又はＵ字状に水平面と略平行に突設してなるガイドと、前記ガイドに沿って移動可能に保持されたウェイトと、前記ウェイトを任意の位置で固定する固定手段と、を備えることを特徴とするゴルフ用パターである。
【００１２】
ここで、ヘッドの背面とは、ボールを打撃するフェース面とは反対側の面のことである。
このように、ヘッドのウェイトをガイドに沿って一定の範囲で移動可能な構造とすることにより、個々のプレイヤーに合わせた微妙な調整を行うことができる。
【００１３】
また、本発明は、前記ウェイトの中心位置が基準点を中心とした同一円周上を前記ガイドに沿って移動するようにしたことを特徴とする請求項１に記載のゴルフ用パターである。
【００１４】
ウェイトを既定の基準点を中心として移動することにより、ストロークに際してプレイヤーに微妙な感覚を与えることができる。
更に、本発明は、上述の発明において、前記固定手段は、前記ウェイトに設けられた雌ネジ孔と、前記雌ネジ孔に螺合する雄ネジと、からなり、前記雄ネジの頭部は流通硬貨の厚みに嵌合する溝を有することを特徴とするゴルフ用パターである。
【００１５】
流通硬貨とは、例えば現行の１０円玉や１００円玉を指し、それらの厚さ（約２ ｍｍ）に嵌合する溝をネジの頭部に設けることにより、１０円玉や１００円玉をネジドライバーの代わりに手軽に用いることができる。
【発明の効果】
【００１６】
本発明により、ヘッドの背面に設けられたガイドに沿ってウェイトを容易に移動・固定することができるようにしたため、ヘッドの重量及び重心位置について、プレイヤーの個人差に応じて、広い範囲で微妙な調整を容易に行うことのできるゴルフ用パターを提供することができる。
【発明を実施するための最良の形態】
【００１７】
本発明の実施の形態について、図面を参照して説明する。
本発明に係るパターの第１の実施形態を図１に示す。図１は、第１の実施形態の構造を示す斜視図である。
【００１８】
ヘッド１はシャフト３を介してグリップ２と接続されており、ヘッド１本体の長手方向の端面には、ボールを打撃するフェース面４が設けられている。
フェース面４と反対側の面である背面５からは、ヘッド１のトウ６及びヒール７付近を両端部とするリング状のガイド９が、水平面と略平行に突出して設けられている。また、背面５の中央部からは、薄板状の保持体１０がガイド９と同一の平面上に突出して設けられている。
【００１９】
これらのガイド９と保持体１０の間には一定の幅の空隙が形成されており、そこに挟み込まれるようにして円盤状のウェイト１１が移動可能な状態で保持されている。
パターのヘッドの断面を図２に示す。図２は、図１に示すＡ−Ａ部における一部断面を示したものである。
【００２０】
ウェイト１１は、その外周にわたって設けられている凹状の溝１１ａが、保持体１０の先端部１０ａとガイド９に同時に嵌合することで保持されている。
このウェイト１１は、上部ウェイト１２、下部ウェイト１３及び固定手段である固定ネジ１４から構成されている。
【００２１】
ウェイトの組み立て図を図３に示す。図３は、図２と同じ位置における一部断面を示したものである。
上部ウェイト１２の下面中央にはネジ穴１２ａが、下部ウェイト１３の中心部には貫通孔１３ａがそれぞれ設けられており、ネジ穴１２ａと螺合するネジ部１４ａを有する固定ネジ１４を、下部ウェイト１３の下方から貫通孔１３ａを介してネジ穴１２ａにネジ込むことにより、上部ウェイト１２と下部ウェイト１３が接続されてウェイト１１が構成されるようになっている。
【００２２】
そして、その接続にともない、上部ウェイト１２の下端部外周の曲部１２ｂと下部ウェイト１３の上端部外周の曲部１３ｃが凹状の溝１１ａを形成し、ガイド９と保持体の先端１０ａを上下方向から挟み込むようにして押圧することにより、ウェイト１１が保持・固定されるようになっている。
【００２３】
また、下部ウェイト１３の下面には、固定ネジ１４の頭部１４ｂが嵌合する凹部１３ｂが設けられているため、結合後のウェイト１１の下面は滑らかな表面となる。
ヘッドの平面方向の断面を図４に示す。図４は、図１に示すヘッドのＢ−Ｂ部における一部断面を示したものである。
【００２４】
上部ウェイト１２と下部ウェイト１３が分離しない範囲で固定ネジ１４を適当に緩めることにより、上部ウェイト１２と下部ウェイト１３がガイド９と保持体の先端１０ａを押圧する力を緩和することができるため、ウェイト１１をガイド９の内周に沿って図中の矢印で示す方向に自由に動かすことができる。
【００２５】
任意の位置までウェイト１１を移動した後は、再び固定ネジ１４を締め付けることによりウェイト１１を固定することができる。
ウェイトの下面図を図５に示す。
【００２６】
この固定ネジ１４の頭部１４ｂには、現在流通している硬貨である１０円玉や１００円玉などが嵌合する幅（約２ ｍｍ）を有する溝１５が設けられているため、これらの硬貨をネジドライバーの代わりに用いることにより、固定ネジ１４の締め付け等を手軽かつ容易に行うことができる。
【００２７】
本発明に係るパターの第２の実施形態を図６に示す。図６は、第２の実施形態の構造を示す斜視図であり、図１と同じ部分には同一の符号を付している。
本実施形態においては、ヘッド１のトウ６及びヒール７付近を両端部とするＵ字状のガイド９が、水平面と略平行に突出して設けられている。また、背面５の中央部には、２枚の薄板３０が先端部において回転軸３３を上下から挟み込んで立設されており、その回転軸３３には円筒体３１が回転自在に取り付けられている。
【００２８】
また、円筒状のウェイト１１が貫通孔を介してガイド９に移動可能に取り付けられている。
これらのウェイト１１と円筒体２１は棒状体２２により接続されており、ウェイト１１は円筒体２１の回転に連動して、ガイド９に沿ってその曲線部分を移動するようになっている。
【００２９】
なお、ウェイト１１の底部には、任意の位置でウェイト１１を固定する固定手段、例えばウェイト１１下面から貫通孔へ通じるネジ孔とそれに螺合するネジからなる固定手段、が設けられている。
【００３０】
本実施形態は、第１の実施形態に比較して構造が簡易であるため、製造が容易かつ取扱いが簡単である。
本発明に係るパターの第３の実施形態を図７に示す。図７は、第３の実施形態の構造を示す斜視図であり、図１と同じ部分には同一の符号を付している。
【００３１】
本実施形態においては、ガイド９とウェイト１１に関する構造は第２の実施形態とほぼ同じであるが、円筒体２１や棒状体２２がなく、ウェイト１１が単独で移動可能である点に特徴がある。
【００３２】
このウェイト１１には、バランスを調整するためのバランサー２３が、ガイド９の径方向に向けて取り付けられている。
本実施形態は、第２の実施形態よりも構造が簡易であるため、更に製造が容易であり、取扱いが簡単である。
【００３３】
以上に説明した本発明に係るパターの実施形態における実際の使用方法を図８に基づいて説明する。図８は、ヘッドによりゴルフボールを打撃する場合を示す平面図である。
なお、ここでは第１の実施形態を例に取るが、他の実施形態においても原理は同じである。
【００３４】
ヘッド１によりゴルフボール１６を打撃してボールを直進させるためには、図８（ａ）に示すように、ヘッド１が描くストロークの軌道がヘッド１の中心とゴルフボール１６の中心とを結ぶ中心線１７と同一になることが理想的である。
【００３５】
そのためには、中心線１７に沿った方向にテークバックを行う必要があるが、プレイヤーの習熟度やその日の調子などにより、その方向は中心線１７からずれてしまうのが常である。
【００３６】
そこで、プレイヤーがストロークの軌道がボール１６にフック回転を与える方向１８にずれていると感じた場合には、図８（ｂ）に示すように、ウェイト１１をヘッド１のヒール７側へ移動することにより、中心線１７に沿った方向にテークバックが強制される感覚を持ってストロークを開始することができる。
【００３７】
また、逆にストロークの軌道がボール１６にスライス回転を与える方向１９にずれていると感じた場合には、図８（ｃ）に示すように、ウェイト１１をトウ６側へ移動することにより、同じく中心線１７に沿った方向にテークバックが強制される感覚を持ってストロークを開始することができる。
【００３８】
なお、ウェイト１１の上面と保持リング９などに目盛り等を付けておくことにより、プレイヤーに徐々にウェイト１１を移動させてストロークを調整させることが望ましい。
また、第１の実施形態に係るヘッド１の場合には、上部ウェイト１２と下部ウェイト１３の合計重量や重量配分を変えることにより、ヘッド１の重量及び垂直方向の重心位置も調整することができる。
【００３９】
以上のようにして、各プレイヤーに合った微妙なパターの調整が可能となる。
本発明に係るパターのヘッドの製品化の一例を図９に示す。
プレイヤーがパターをする際には、プレーに集中できる環境が重要である。従って、ヘッド１の背面５に設けられたガイド９やウェイト１１等の構造物がむき出しのままでは、プレイヤーの集中を妨げる可能性があり、また、第三者からの見てくれもよくない。
【００４０】
そこで、本製品例では、図９に示すように、ヘッド１の背面５にカバー４０を取り付けて、カバー４０の表面にはウェイト１１の位置が分かるような表示孔４１を複数設けるとともに、中心線に沿った正しいストロークの方向を示すマーク４２を付している。
【図面の簡単な説明】
【００４１】
【図１】本発明に係るパターの第１の実施形態の斜視図である。
【図２】図１に示すＡ−Ａ矢視の一部断面図である。
【図３】ウェイトの構造を示す一部断面を用いた組み立て図である。
【図４】図１に示すＢ−Ｂ矢視の一部断面図である。
【図５】ウェイトの下面図である。
【図６】本発明に係るパターの第２の実施形態の斜視図である。
【図７】本発明に係るパターの第３の実施形態の斜視図である。
【図８】ウェイトの移動に関する使用方法を説明する図であり、（ａ）は理想的なストローク、（ｂ）はボールにフック回転を与えるストローク、（ｃ）はボールにスライス回転を与えるストロークの場合をそれぞれ示したものである。
【図９】本発明に係るパターの製品例の斜視図である。
【図１０】通常のパターの外観図である。
【図１１】従来の発明におけるヘッドの重量及び重心位置の調整方法を示した図である。
【符号の説明】
【００４２】
１  ヘッド
２  グリップ
３  シャフト
４  フェース面
５  背面
６  トウ
７  ヒール
８  テール
９  ガイド
１０  保持体
１０ａ  保持体の先端部
１１  ウェイト
１１ａ  凹状の溝
１２  上部ウェイト
１２ａ  上部ウェイトのネジ孔
１２ｂ  上部ウェイトの曲部
１３  下部ウェイト
１３ａ  下部ウェイトの貫通孔
１３ｂ  下部ウェイトの凹部
１３ｃ  下部ウェイトの曲部
１４  固定ネジ
１４ａ  ネジ部
１４ｂ  頭部
１５  マイナス溝
１６  ボール
１７  中心線
１８  ボールにスライス回転を与えるストロークの軌道
１９  ボールにフック回転を与えるストロークの軌道
３０  薄板
３１  円筒体
３２  棒状体
３３  回転軸
３４  バランサー
４０  カバー
４１  表示孔
４２  マーク
１００  ヘッド
１０１  スライド溝
１０２  重り挿入口
１０３  重り
【図１】
2007054227.tif 000003
【図２】
2007054227.tif 000004
【図３】
2007054227.tif 000005
【図４】
2007054227.tif 000006
【図５】
2007054227.tif 000007
【図６】
2007054227.tif 000008
【図７】
2007054227.tif 000009
【図８】
2007054227.tif 000010
【図９】
2007054227.tif 000011
【図１０】
2007054227.tif 000012
【図１１】
2007054227.tif 000013